(57)【特許請求の範囲】
【請求項１】
前枠部１ｂの前側下部に、遊技用のパチンコ球を受入れ得る上皿と、この上皿から通出されたパチンコ球をシャッタ１４の開閉状態に基づき受入れて１個ずつ機内の球発射起点５側へ送出し得る球送り機構８とを備えた前板６が組付けられる一方、前枠部１ｂの裏面に固定されて内部に遊技盤３を嵌込みセットし得るベース枠２の裏側に、補給用のパチンコ球を貯留する球タンク１７と、この球タンク１７の球排出口１７ｂの下方に取着されて、該球タンク１７から通出したパチンコ球を受入れて下流の賞品球払い出し制御ユニット１９側へ２列にして誘導し得る球レール１８とを装着した裏枠１６が開閉可能に組付けられたパチンコ機において、
前記球レール１８の上流端部側に、該球レール１８内を流通するパチンコ球の貯留および減少を感知して状態変化し得る第１球切れ作動片２０と、この第１球切れ作動片２０に連繋変位し得るスイッチ操作用の係動片２４と、前記係動片２４の下方部位で該第１球切れ作動片２０の球感知変動を電気的に検出し得る２個の検出スイッチ２８および１枚のスイッチ基板２７と、前記第１球切れ作動片２０の下流側位置で前記球レール１８内を流通するパチンコ球の貯留および減少を感知して状態変化し得る第２球切れ作動片２１と、この第２球切れ作動片２１に連繋変位して前記球送り機構８に支持された前記シャッタ１４との間に亘り連繋されて第２球切れ作動片２１の状態変化を前記シャッタ１４の開閉状態に伝動する中継機構とが装備されており、
前記第１球切れ作動片２０は、前記球レール１８の支持部２２に対して片持ち状態で上下揺動可能に支持されて少数個の球を受ける球受部を上向きに付勢して前記球レール１８の上流端部の内に延出して前記球タンク１７の球排出口１７ｂの下方に臨ませ、
前記係動片２４は、前記第１球切れ作動片２０の支持部２２の反対側の先端部に連繋されて垂下状態で上下変位可能に支持されており、
前記検出スイッチ２８は、前記球レール１８の上端部の下方位置で前記裏枠１６に形成された基板取付け部２６内に装入される前記スイッチ基板２７に個々に接続配置され、傾動可能に付勢された各々の触動片２８ａを前記係動片２４の下面に押接させて、前記係動片２４の下動により各触動片２８ａが押下されているときの球有り検出状態と、前記係動片２４の上動により各触動片２８ａが解放されたときの球切れ検出状態とに変化するようになっており、かつ、球切れ検出状態時に発する各々の検出信号を、賞品球切れ表示ランプと遊技場の管理装置とに対する各々の球切れ信号として出力しうるように設定し、
前記第２球切れ作動片２１は、前記球レール１８の支持部２３に対して片持ち状態で上下傾動可能に支持されて、球レール１８内の複数個のパチンコ球を受け得る球受部２１ａを上向きに付勢保持して前記球タンク１７の球排出口１７ｂの下方に臨ませ、
前記中継機構は、前記第２球切れ作動片２１の支持部２３の反対側の先端部に連結されて前記裏枠１６の裏面に垂下状態で上下変位可能に支持された第１中継部材３１と、前記ベース枠２の裏側下部の支持部３９に対して片持ち状態で上下傾動可能に支持される第２中継部材３６と、該第２中継部材３６の支持部３９の反対側の先端部に連結されて上下変位可能に支持され、前記球送り機構８の球受口１０に対する前記シャッタ１４の開閉状態を操作する第３中継部材４０とを備えており、
かつ、前記中継機構における前記第１中継部材３１と前記第２中継部材３６との間の連繋構成部分では、前記裏枠１６の下端部に一体状に形成されて縦長の通し孔３５ｃを貫通して開口形成した拘持部３５と、前記第１中継部材３１の下端に前後の向きに連結されて前記拘持部３５に対しては通し孔３５ｃに前後方向に挿通支持されたもとで、上下の変位が許容されるとともに前後方向に抜止め状態で拘束されて連携保持される連繋片３３と、前記第２中継部材３６の中央部に形成されて前記連繋片３３の前連繋部３３ｂを前後方向に脱抜可能に挿通し得る挿通孔３７を貫通して開口形成した係合部３６ｄとが構成されており、
前記裏枠１６の閉鎖状態時には、前記第１中継部材３１の前記連繋片３３の前連繋部３３ｂが、前記第２中継部材３６の前記係合部３６ｄの挿通孔３７に後方から挿通して連繋される一方、前記裏枠１６の後方への開放時には、前記第１中継部材３１の前記連繋片３３が、前記拘持部３５に保持された状態のまま、該連繋片３３の前連繋部３３ｂが、前記係合部３６ｄの挿通孔３７から後方に抜脱分離されるように設定されたことを特徴とするパチンコ機。
【発明の詳細な説明】
【０００１】
【産業上の利用分野】
この発明はパチンコ機に関し、特に、貯留されたパチンコ球の欠乏を検出する球切れ検出機構と、パチンコ球を順次球発射起点へ送り込む球送り機構と、球送り機構を開閉操作する中継機構とを含む球切れ検出装置の改良に関する。
【０００２】
【従来の技術】
遊技者に払い出されるパチンコ球が欠乏したときに球発射起点へのパチンコ球の供給を休止させる目的で設置される中継機構はベ−ス枠と、このベ−ス枠に結合された裏枠とにわたって取付けられ、裏枠をベ−ス枠に組付けるときに中継機構が組立てられる。
【０００３】
【発明が解決しようとする課題】
従来のこの種の中継機構では裏枠をベ−ス枠に結合するときに中継機構を構成する部材を連結したり、分離させる手数が煩雑となる問題点がある。
本発明は上記問題点を解消して賞品球用の補給貯留部での球切れ状態をより的確に検出し得るとともに、裏枠部材の開閉に伴う中継機構の連結および分離を簡易化することを課題とするものである。
【０００４】
【課題を解決するための手段】
請求項１のパチンコ機は、前枠部の前側下部に、遊技用のパチンコ球を受入れ得る上皿と、この上皿から通出されたパチンコ球をシャッタの開閉状態に基づき受入れて１個ずつ機内の球発射起点側へ送出し得る球送り機構とを備えた前板が組付けられる一方、前枠部の裏面に固定されて内部に遊技盤を嵌込みセットし得るベース枠の裏側に、補給用のパチンコ球を貯留する球タンクと、この球タンクの球排出口の下方に取着されて、該球タンクから通出したパチンコ球を受入れて下流の賞品球払い出し制御ユニット側へ２列にして誘導し得る球レールとを装着した裏枠が開閉可能に組付けられたパチンコ機において、
前記球レールの上流端部側に、該球レール内を流通するパチンコ球の貯留および減少を感知して状態変化し得る第１球切れ作動片と、この第１球切れ作動片に連繋変位し得るスイッチ操作用の係動片と、前記係動片の下方部位で該第１球切れ作動片の球感知変動を電気的に検出し得る２個の検出スイッチおよび１枚のスイッチ基板と、前記第１球切れ作動片の下流側位置で前記球レール内を流通するパチンコ球の貯留および減少を感知して状態変化し得る第２球切れ作動片と、この第２球切れ作動片に連繋変位して前記球送り機構に支持された前記シャッタとの間に亘り連繋されて第２球切れ作動片の状態変化を前記シャッタの開閉状態に伝動する中継機構とが装備されており、
前記第１球切れ作動片は、前記球レールの支持部に対して片持ち状態で上下揺動可能に支持されて少数個の球を受ける球受部を上向きに付勢して前記球レールの上流端部の内に延出して前記球タンクの球排出口の下方に臨ませ、
前記係動片は、前記第１球切れ作動片の支持部の反対側の先端部に連繋されて垂下状態で上下変位可能に支持されており、
前記検出スイッチは、前記球レールの上端部の下方位置で前記裏枠に形成された基板取付け部内に装入される前記スイッチ基板に個々に接続配置され、傾動可能に付勢された各々の触動片を前記係動片の下面に押接させて、前記係動片の下動により各触動片が押下されているときの球有り検出状態と、前記係動片の上動により各触動片が解放されたときの球切れ検出状態とに変化するようになっており、かつ、球切れ検出状態時に発する各々の検出信号を、賞品球切れ表示ランプと遊技場の管理装置とに対する各々の球切れ信号として出力しうるように設定し、
前記第２球切れ作動片は、前記球レールの支持部に対して片持ち状態で上下傾動可能に支持されて、球レール内の複数個のパチンコ球を受け得る球受部を上向きに付勢保持して前記球タンクの球排出口の下方に臨ませ、
前記中継機構は、前記第２球切れ作動片の支持部の反対側の先端部に連結されて前記裏枠の裏面に垂下状態で上下変位可能に支持された第１中継部材と、前記ベース枠の裏側下部の支持部に対して片持ち状態で上下傾動可能に支持される第２中継部材と、該第２中継部材３６の支持部の反対側の先端部に連結されて上下変位可能に支持され、前記球送り機構の球受口に対する前記シャッタの開閉状態を操作する第３中継部材とを備えており、
かつ、前記中継機構における前記第１中継部材と前記第２中継部材との間の連繋構成部分では、前記裏枠の下端部に一体状に形成されて縦長の通し孔を貫通して開口形成した拘持部と、前記第１中継部材の下端に前後の向きに連結されて前記拘持部に対しては通し孔に前後方向に挿通支持されたもとで、上下の変位が許容されるとともに前後方向に抜止め状態で拘束されて連携保持される連繋片と、前記第２中継部材の中央部に形成されて前記連繋片の前連繋部を前後方向に脱抜可能に挿通し得る挿通孔を貫通して開口形成した係合部とが構成されており、
前記裏枠の閉鎖状態時には、前記第１中継部材の前記連繋片の前連繋部が、前記第２中継部材の前記係合部の挿通孔に後方から挿通して連繋される一方、前記裏枠の後方への開放時には、前記第１中継部材の前記連繋片が、前記拘持部に保持された状態のまま、該連繋片の前連繋部が、前記係合部の挿通孔から後方に抜脱分離されるように設定された構成を有する。
【０００７】
【作用】
請求項１に記載のパチンコ機では、球タンク内の貯留球が無くなり球レールの上流端部内の貯留球が減少すると、まず、第１球切れ作動片が、球受部で受ける球圧（球重量）から解放されて上傾変化（球切れ状態）されるとともに、これに追従して係動片が引上げられて２個の検出スイッチの触動片をともに解放する。これにより各球切れ検出スイッチは、個々の触動片が上傾復帰されることにより、「球切れ検出状態」として検出信号を発生する。そしてこの各検出信号が、スイッチ基板を介して賞品球切れ表示ランプに対する球切れ信号、遊技場の管理装置に対する球切れ信号として出力されることに伴い、表示ランプが点灯表示される。
【０００８】
次いで、前記球レールの上流端部内の球無し（球切れ）後に球レールの上流部内の貯留球が減少（一般的には、球補給作動の一時的な遅れに起因する球タンクへの球投入不足と、賞品球払い出しとによる減少）した場合、前記第１球切れ作動片の下流部に位置する第２球切れ作動片が、球受部で受ける球圧から解放されて上傾変化（球切れ状態）される。これに追従して中継機構が球切れ状態に連動されることにより、即ち、第１中継部材の上動変位、第２中継部材の上傾変位、第３中継部材の上動変位により、球送り機構におけるシャッタが、第３中継部材で押上げ操作されて球受口に対する閉鎖状態（球通し不能状態）に拘束保持される。これにより遊技用パチンコ球の球発射起点への送込み（球送り）が停止されて打球発射が暫時不能停止される。
【０００９】
そして、請求項１に記載のパチンコ機において、遊技盤の裏側点検等の必要に伴い裏枠が開放される場合には、ベース枠側に対する裏枠の後方への回動に伴い前記球レール側の第２球切れ作動片に連繋されている中継機構において、裏枠の裏側に支持されている第１中継部材の下端の連繋片が、裏枠の拘持部に保持されたまま後方へ変移しながら、その前連繋部をベース枠裏側の第２中継部材における係合部の挿通孔から後方へ速やかに抜出すことにより、裏枠側の第１の中継部材がベース枠側の第２中継部材に対してごく自然状態で分離される。
また、遊技盤の裏側点検等の終了等に伴い裏枠が元の閉鎖状態に設置される場合には、裏枠の前方への回動に伴い前記中継機構における第１中継部材の連繋片が拘持部に保持されたまま前方へ変移しながら、その前連繋部を第２中継部材における係合部の挿通孔に後方から前方へ挿通される。これにより第２中継部材に対して第１中継部材が元状態に連繋保持されて、中継機構全体が本来の球切れ検知状態に保持される。
【００１０】
【発明の効果】
請求項１に記載のパチンコ機では、球タンク内の貯留球が無くなり球レールの上流端部内の貯留球が減少すると、まず、第１球切れ作動片が、球圧（球重量）から解放されて上傾変化されることに追従して、係動片が引上げられて２個の検出スイッチの触動片をともに解放する。これにより各球切れ検出スイッチから発生された各検出信号により、賞品球切れ表示ランプが点灯されて「球切れ状態」を表示することができる。
【００１１】
また、前記第１球切れ作動片および検出スイッチによる球切れ検知において、前記球レールの上部内の貯留パチンコ球が減少した場合には、第２球切れ作動片が球圧から解放されて上傾変化されることに追従して、中継機構が球切れ状態に連動されることにより、上皿裏側の球送り機構のシャッタが、球受口に対する球通し不能な閉鎖状態に拘束保持される。これにより遊技用パチンコ球の球発射起点への送込み（球送り）を停止させて、打球発射を暫時不能停止（中断）させることができる。
【００１２】
このようなパチンコ機において、遊技盤の裏側点検等の必要に伴い裏枠を開放する場合には、ベース枠側に対する裏枠の後方への回動に伴い中継機構における第１中継部材の連繋片が裏枠の拘持部に保持されたまま後方へ変移しながら、その前連繋部をベース枠裏側の第２中継部材における係合部の挿通孔から後方へ速やかに抜出し得ることにより、第２中継部材に対して第１中継部材を分離することができる。
また、遊技盤の裏側点検等の終了等に伴い裏枠を元状態に設置する場合には、裏枠の前方への回動に伴い前記第１中継部材の連繋片が拘持部に保持されたまま前方へ変移しながら、その前連繋部を第２中継部材における係合部の挿通孔に後方から前方へ挿通し得ることにより、第２中継部材に対して第１中継部材を連繋して、中継機構全体を何ら破損することなく本来の球切れ検知状態に保持し得、中継機構全体の復旧に要する手間が省略できる。
【００１５】
【実施例】
次に、本発明の１実施例を図面にしたがって説明する。
パチンコ機の木枠１には後枠部１ａと、この後枠部１ａの一方の側板に前方への回動可能に結合された前枠部１ｂとが形成されている。
【００１６】
木枠１の前枠部１ｂの後面には遊技盤３が内部に嵌め込まれてセットされるベ−ス枠２がねじ止めされている。
【００１７】
ベ−ス枠２の下部の前面にはパチンコ球を遊技盤面へ案内する発射レ−ル４が前上り姿勢で設置され、この発射レ−ル４の基端部上には発射されるパチンコ球が待機する球発射起点５が形成されている。
【００１８】
図２において、木枠１の前枠部１ｂの下部に窓枠を介して前方への回動可能に結合されて前面に上皿が取付けられた前板６には上皿上のパチンコ球が通り抜ける球出口７が開設されている。
【００１９】
前板６の後面にはパチンコ球を球発射起点５へ１個づつ送り込む球送り機構８が取付けられている。
【００２０】
球送り機構８の器体９には前板６の球出口７の後側に隣接して開設された球受口１０と、この球受口１０に導入されたパチンコ球を斜め下方へ誘導する球通路１１と、この球通路１１の下端部の後方で球発射起点５の前側に隣接して開設された球送り口１２とが形成されている。
【００２１】
器体９の外端付近には球発射起点５のパチンコ球を叩打する打球杆４５の揺動動作に連動して上下方向へ往復揺動し、球通路１１の下端へ到来したパチンコ球を受入れて球発射起点５へ放出する球受渡し部材１３が揺動可能に軸支されている。
【００２２】
球受渡し部材１３は下方へ揺動したときに球通路１１の下端のパチンコ球を受入れ、上方へ揺動したときに受入れたパチンコ球を後方へ放出しながら球通路１１のパチンコ球の転動を阻止する球受部１３ａと、打球杆４５に連繋されて球受渡し部材１３の球受部１３ａを上方へ付勢する錘り１３ｂとを備えている。球受部１３ａから放出されたパチンコ球は球送り口１２を通り抜けて球発射起点５へ送り込まれる。
【００２３】
器体９内の中央部付近には上下方向への揺動動作によって球受口１０を開放および遮断して球受口１０へのパチンコ球の通過を許容および阻止するシャッタ１４が回動可能に設置されている（図２参照）。
【００２４】
シャッタ１４の内端部には上下方向への変位可能で自重によって下方へ変位する受動部１４ａが形成され、シャッタ１４の外端部には受動部１４ａが下方へ変位した状態では上方へ変位して球受口１０を開放し、受動部１４ａが上方へ変位したときに下方へ変位して球受口１０を遮断する球止め部１４ｂが形成されている。
【００２５】
ベ−ス枠２の後側にはベ−ス枠２に前後方向へ回動可能で取外し可能に結合されて前方の回動端でベ−ス枠２に解離可能に係止される裏枠１６が設置されている。
【００２６】
裏枠１６は前方の回動端で遊技盤３の裏側に重ね合わされ、この状態で裏枠１６をベ−ス枠２に係止すると、裏枠１６が遊技盤に押しつけられて遊技盤３がベ−ス枠２に固止される。
【００２７】
図１，図３において、裏枠１６の上縁部の裏面には遊技者に払い出されるパチンコ球を貯留する球タンク１７が取外し可能に結合され、この球タンク１７の底板１７ａの外端部には貯留されたパチンコ球が通過する球排出口１７ｂが開設されている。
【００２８】
球タンク１７の球排出口１７ｂの下方にはパチンコ球を裏枠１６の一方の側枠部の裏面に取付けられた賞品球払い出しユニット１９側へ前後２列にして誘導する半透明合成樹脂製の球レ−ル１８が設置されている。
【００２９】
球レ−ル１８には賞品球払い出しユニット１９側に向かって先下り状に傾斜した底板１８ａと、この底板１８ａの後端縁に連接されて垂立された縦壁板とが形成され、底板１８ａの基端部付近には球タンク１７の球排出口１７ｂの直下に配設された検出口１８ｂが開設され（図３参照）、球レール１８の基端部付近の前面には金属薄板若しくは金属箔板によって形成されてア−ス用のリ−ド線が接続された静電気防止用の帯電防止板４２が重ね合わされて固定されている。
【００３０】
帯電防止板４２には球レ−ル１８内の基端部付近を後方から透視するための透視窓４２ａが開設されている。
【００３１】
球レ−ル１８の検出口１８ｂ内には球レ−ル１８に挿着された支軸２２によって検出口１８ｂ内の外端部で上下方向への揺動可能に支持された第１球切れ作動片２０と、球レ−ル１８に突設された支軸２３によって第１球切れ作動片２０の下流側（図３中右方）で揺動可能に支持され、第１球切れ作動片２０の球受部の長さより延長された長さを有する球受部２１ａが形成された第２球切れ作動片２１とが検出口１８ｂを閉塞した状態で隣合って設置されている。両球切れ作動片２０，２１は第１球切れ作動片２０の球受部上のパチンコ球がその自重で第２球切れ作動片２１の球受部２１ａ上へ転落するように配列されている。
【００３２】
第１球切れ作動片２０の先端部には第１球切れ片２０の揺動動作によって上下方向へ変位する係動片２４がその上端の軸部２４ａによって結合されている。
【００３３】
球レ−ル１８の検出口１８ｂの外端部の下方位置で裏枠１６に一体状に突出形成された基板取付け部２６内にはスイッチ基板２７が装入されており（図３参照）、このスイッチ基板２７上には内部のスプリング（図示しない）で上方に付勢された触動片２８ａを有する１対の球切れ検出スイッチ２８が設置されている。なお、両球切れ検出スイッチ２８内のスプリングが、第１球切れ作動片２０を上向きに付勢することになる。
【００３４】
係動片２４の下端部は両球切れ検出スイッチ２８の触動片２８ａに当接され、第１球切れ作動片２０がその上に載置されたパチンコ球の重量によって押下げられて下方へ揺動すると、係動片２４が下方へ変位して球切れ検出スイッチ２８の触動片２８ａが係動片２４によって押下げられた状態で保持される。
【００３５】
第１球切れ作動片２０の球受部上のパチンコ球が限度以下に少なくなると、第１球切れ作動片２０が球圧から解放されて球切れ検出スイッチ２８内のスプリングの付勢力により揺動され、これに連繋して係動片２４が上動し、両球切れ検出スイッチ２８の触動片２８ａが解放されて上方へ揺動し、両球切れ検出スイッチ２８の接点が同時に切り換えられて一方の球切れ検出スイッチ２８が球切れ信号を出力し、遊技盤面に取付けられた賞品球切れ表示ランプが点灯し、また、他方の球切れ検出スイッチ２８が遊技場の管理装置に球切れ信号を出力する。
【００３６】
第２球切れ作動片２１の球受部２１ａにはこの第２球切れ作動片２１の揺動範囲を規定するストッパ２１ｂが突出形成され、球受部２１ａの基端部に連接された突片２１ｃには第２球切れ作動片２１を球受部２１ａが上方へ揺動する方向へ常時付勢するスプリング２９が掛止されている。
【００３７】
第２球切れ作動片２１の球受部２１ａはその上に載置されたパチンコ球群の重量によって下方へ揺動し、球受部２１ａ上のパチンコ球の個数が限度以下に少なくなって球切れ状態になると、スプリング２９の弾発力によって上方へ揺動する。
【００３８】
第１球切れ作動片２０上に載置されるパチンコ球の個数は第２球切れ作動片２１の球受部２１ａ上に載置されるパチンコ球の個数より少なく、球切れ時に第１球切れ作動片２０上に残留するパチンコ球の個数は第２球切れ作動片２１の球受部２１ａ上に残留するパチンコ球の個数より少なくなるように設定されている。
【００３９】
両球切れ作動片２０，２１上のパチンコ球の個数が少なくなって球切れ状態になると、始めに、第１球切れ作動片２０上のパチンコ球の個数が限度以下となって第１球切れ作動片２０が上方へ揺動し、球切れ検出スイッチ２８が球切れ信号を出力し、続いて、第２球切れ作動片２１上のパチンコ球の個数が限度以下となって第２球切れ作動片２１の球受部２１ａが上方へ揺動し、第２球切れ作動片２１は第１球切れ作動片２０の作動時点から若干遅れて作動する。
【００４０】
第２球切れ作動片２１の動きを球送り機構８のシャッタ１４に伝える中継機構は裏枠１６の裏側とベ−ス枠２の下部の後側とにわたって設置されている。
【００４１】
中継機構の第１の中継部材３１は、細い金属線材（針金）によって形成されて上下方向に沿って設置された連繋杆３２と、この連繋杆３２の下端部３２ｂに取外し可能に結合された合成樹脂製の連繋片３３とを備え、裏枠１６の後面側に上下動可能に取付けられている。
【００４２】
連繋杆３２の上端部３２ａは第２球切れ作動片２１の球受部２１ａの先端付近に掛止され、第１の中継部材３１は第２球切れ作動片２１の球受部２１ａの上下方向への揺動動作に連動して上下動する。
【００４３】
連繋片３３にはその中央部付近に突設された円盤状のフランジ部３３ａと、このフランジ部３３ａの前面の中心部に連接されて前方へ突出され、先端部に丸味が付与された丸棒状の前連繋部３３ｂと、フランジ部３３ａの後面の中心部に連接されて後方突出され、連繋杆３２の下端部３２ｂが取外し可能に結合された円筒状の後連繋部３３ｃとが形成されている。
【００４４】
裏枠１６の他方の側枠部の後面下部には連繋杆３２がその断面方向への動きが制限された状態で挿通および支持された連繋杆支持部３４が突設されるとともに、裏枠１６の下枠部にはその下面に連接されて下方へ突出され、連繋片３３を上下方向への移動可能で水平方向への移動不能に拘束支持して連繋片３３の下方の移動端を規定する拘持部３５が一体状に形成されている。
【００４５】
拘持部３５には連繋片３３のフランジ部３３ａが上下方向へのスライド可能で水平方向への移動不能に係合されたガイド溝３５ａと、フランジ部３３ａの下降端を規定する円弧面状の規定面３５ｂと、前連繋部３３ｂが挿通された縦長状の通し孔３５ｃとが形成されている。
【００４６】
連繋片３３はフランジ部３３ａが拘持部３５内に嵌め込まれて下方の移動端が規定された状態で拘持部３５によって上下方向への移動可能で水平方向への移動不能に拘持され、同一姿勢で上下方向へ変位する。
【００４７】
中継機構の第２の中継部材３６は合成樹脂材によって横長状に形成され、ベ−ス枠２の下部後面に突設された軸部３９によって上下方向への揺動可能に支持された状態でベ−ス枠２の後面に取付けられている。
【００４８】
ベ−ス枠２の後面には第２の中継部材３６の下方の揺動端を規定するストッパ４４が突設されている。
【００４９】
ベ−ス枠２の下部の後面に突設された突部４６には金属線材によって形成されてベ−ス枠２の前側から後側にわたって設置され、前端部がシャッタ１４の受動部１４ａの下側に挿入されて第２の中継部材３６の動きをシャッタ１４に伝える第３の中継部材４０が貫挿されている。この中継部材４０は、図２，図４，図５に例示するように第２の中継部材３６の支持部の反対側の先端部に連結されて垂下状で前記突部４６に挿通支持されており、そしてベース枠２の前方へ貫挿された中継部材４０の前端部が、シャッタ１４の受動部１４ａの下側に前後方向への係脱可能に挿入した状態で連繋されている。
【００５０】
第２の中継部材３６には帯板状に基片３６ａと、この基片３６ａの基端部に連接されて軸部３９が嵌挿された円筒状の軸挿部３６ｂと、基片３６ａの先端部に連接されて第３の中継部材４０の後端部が掛止された掛止部３６ｃと、軸挿部３６ｂの内方位置で基片３６ａに連接されて連繋片３３の、前連繋部３３ｂが脱出可能で連動可能に係合された係合部３６ｄとが形成されている。
【００５１】
第２の中継部材３６の係合部３６ｄには裏枠１６が第１の中継部材３１とともに前回動端へ回動したときに連繋片３３の前連繋部３３ｂが挿通される丸孔状の挿通孔３７が形成されるとともに、係合部３６ｄには、挿通孔３７の後側に挿通孔３７を包用するように隣設されて断面積が後方から前方へ漸減するすりばち面状の凹曲面形状を有し、連繋片３３の前連繋部３３ｂが挿通孔３７に挿通される直前に連繋片３３の先端部を連繋片３３の上下方向の全移動範囲にわたって滑動させて挿通孔３７側へ案内する案内面３８が形成されている。
【００５２】
案内面３８の前端縁は丸孔状で挿通孔３７の後側孔縁に連接され、案内面３８の後端縁は連繋片３３の上下方向の移動距離より拡大された長径部を有する縦長の楕円形状に形成され、案内面３８の上部には上方へ移動した連繋片３３を案内する上案内部３８ａが形成され、案内面３８の下部には下方へ移動した連繋片３３を案内する下案内部３８ｂが形成されている。
【００５３】
裏枠１６が第１の中継部材３１とともに前方の回動端の若干手前まで回動すると、第１の中継部材３１が上方へ変位した状態であっても下方へ変位した状態であっても連繋片３３の先端部が第２の中継部材３６の案内面３８に突き当たって前方への連繋片３３の移動に伴って挿通孔３７側へ滑動し、裏枠１６を前方の回動端へ回動すると、連繋片３３の前連繋部３３ｂが挿通孔３７内に自動的に挿通されて第１の中継部材３１が第２の中継部材３６に自動的に連結される。
【００５４】
両球切れ作動片２０，２１上のパチンコ球が限度以下に減少して第１球切れ作動片２０が上方へ揺動し、続いて、第２球切れ作動片２１の球受部２１ａが上方へ揺動すると、第１の中継部材３１の連繋杆３２が上動して連繋片３３が上方へ変位し、第２の中継部材３６が上方へ揺動して第３の中継部材４０が引上げられ、シャッタ１４の受動部１４ａが第３の中継部材４０によって押上げられることにより、図２のようにシャッタ１４が実線で示される通常の球送り可能位置から想像線で示される球送り不能位置に回動変化してその球止め部１４bで球受口１０を遮断し、球発射起点５へのパチンコ球の供給を不能とする。
【００５５】
続いて、上記した構成を有する実施例の作用と効果を説明する。ベ−ス枠２に前後方向への回動可能に結合された裏枠１６の後側には球切れ時に作動する第２球切れ作動片２１に上端部３２ａが係止された連繋杆３２と、この連繋杆３２の下端部３２ｂに結合された連繋片３３とを有し、第２球切れ作動片２１に連動して上下動する第１の中継部材３１を設置し、球発射起点５に通ずる球受口１０を開閉するシャッタ１４に連繋された状態でベ−ス枠２の後側に設置された第２の中継部材３６には裏枠１６が前方の回動端へ回動したときに連繋片３３が脱出可能に係合する係合部３６ｄを形成し、裏枠１６には連繋片３３を上下方向への移動可能で水平方向への移動不能に支持して連繋片３３の移動端を規定する拘持部３５を形成し、係合部３６ｄには裏枠１６が前方の回動端へ回動したときに連繋片３３の一部が挿通される挿通孔３７と、裏枠１６が前方の回動端付近へ回動したときに連繋片３３をその全移動範囲にわたって挿通孔３７側へ案内する案内面３８とを形成してある。
【００５６】
このため、第１の中継部材３１を裏枠１６に組付け、第２の中継部材３６をベ−ス枠２に組付けると、第２球切れ作動片２１の動きをシャッタ１４に伝える中継機構をベ−ス枠２と裏枠１６とにわたって設置することができるとともに、裏枠１６を後方へ回動させると、両中継部材３１，３６を自動的に分離させることができる。
【００５７】
例えば、第１の中継部材３１の連繋片３３を裏枠１６に一体状に形成された拘持部３５に係合させた状態でまず裏枠１６をベース枠９に装着すると、連繋片３３が第２の中継部材３６を介してシャッタ１４に連繋された状態でセットされ、その後連繋杆３２を連繋片３３に結合することによって第２球切れ作動片２１とシャッタ１４とを連繋することができ、また、連繋片３３を拘持部３５に係合させて連繋杆３２を連繋片３３に結合してから、拘持部３５を裏枠１６とともにベース枠９に装着することによっても、第２球切れ作動片２１とシャッタ１４とを連繋することができるので、パチンコ機が組立てられた状況に合わせて第２球切れ作動片２１とシャッタ１４とを連繋する作業を行うことができる。
【００５８】
従って、ベ−ス枠２や裏枠１６に取付けられた部品の故障時や遊技盤３の交換時に両中継部材３１，３６を分離させた状態で故障を修復したり、遊技盤３を交換することができるとともに、故障の修復後や遊技盤３の交換後に裏枠１６をベ−ス枠２に結合することによって両中継部材３１，３６を的確に再連結することができる。
【００５９】
また、第１の中継部材３１が連繋杆３２と連繋片３３とに分割され、連繋片３３が第２の中継部材３６の係合部３６ｄに脱出可能に係合するので、第１の中継部材３１と第２の中継部材３６とを的確に連結したり、分離させることができるとともに、第１の中継部材３１の動きを第２の中継部材３６に的確に伝えることができる。
【００６０】
さらに、連繋片３３を裏枠１６の拘持部３５によって拘束して連繋片３３の移動範囲を拘持部３５によって制限してあるので、連繋片３３の姿勢の変動や過剰移動を抑止して連繋片３３の動きを安定化することができるとともに、第２球切れ作動片２１の動きを第１の中継部材３１によって第２の中継部材３６に的確に伝えることができる。
【００６１】
また、第２の中継部材３６に案内面３８を形成してあるので、裏枠１６を前方の回動端へ回動させるだけで両中継部材３１，３６を的確かつ自動的に連結することができるとともに、球切れが発生して連繋片３２が上方へ移動した状態であっても、連繋片３２が下方へ変位した状態であっても、両中継部材３１，３６を的確に連結することができる。
【００６２】
また、連繋片３３が合成樹脂製で連繋片３３の水平方向への移動が拘持部３５によって阻止されるので、連繋片３３の先端部を案内面３８によって円滑に誘導して係合部３５ｄに無理なく係合させることができる。
【００６３】
さらに、第１の中継部材３１は細い金属線材によって形成された連繋杆３２の端部を合成樹脂製の連繋片３３によって補強した構造となるので、連繋杆３２が折れ曲ったり、損傷する不具合を解消することができる。
【００６４】
また、裏枠１６の拘持部３５には連繋片３３の左右方向の移動を規制して上下方向の移動を許容するガイド溝３５ａ、通し孔３５ｃが形成されているので、連繋片３３と連繋杆３２とを上下方向の位置合わせのみによって結合することができ、また連繋片３３の上下方向の移動範囲が拘持部３５によって規定されているので、第２球切れ作動片２１とシャッタ１４とを連繋する作業を僅かな調整範囲内で行うことができる。
【図面の簡単な説明】
【図１】本発明の１実施例を示すパチンコ機の裏面図である。
【図２】球送り機構の要部の裏面図である。
【図３】球切れ検出機構付近の一部破断裏面図である。
【図４】第２の中継部材付近の一部破断裏面図である。
【図５】第１，第２中継部材の連結部付近の分解斜視図である。
【図６】図１のＸ−Ｘ線拡大断面図である。
【符号の説明】
２  ベ−ス枠
５  球発射起点
１０  球受口
１４  シャッタ
１６  裏枠
１７  球タンク
２０，２１  球切れ作動片
３１  第１の中継部材
３２  連繋杆
３３  連繋片
３５  拘持部
３６  第２の中継部材
３６ｄ  係合部
３７  挿通孔
３８  案内面
【図１】
0003967778.tif 000002
【図２】
0003967778.tif 000003
【図３】
0003967778.tif 000004
【図４】
0003967778.tif 000005
【図５】
0003967778.tif 000006
【図６】
0003967778.tif 000007